(57)【要約】【課題】アドレス時に視覚的に大きな安心感を与え、かつ実際のショットの安定性を向上させてミスショットを軽減できるゴルフクラブを提供する。【解決手段】シャフト２と、シャフト２の一端側に接続されたヘッド３とを具備してなり、クラブ全長Ｌ１が８６０〜９２０ｍｍ、かつヘッド３のフト角αが３０〜８０度に構成されるゴルフクラブ１において、ヘッド３が、ヒールからトウまでの長さ（フェース長さＬ２）がクラブ全長Ｌ１の１０〜１５％の範囲で、かつソール幅Ｗが５０〜６０ｍｍに形成される。【選択図】図２
2014151089.tif 000002
【特許請求の範囲】
【請求項１】
シャフトと、前記シャフトの一端側に接続されたヘッドとを具備してなり、クラブ全長が８６０〜９２０ｍｍ、かつ前記ヘッドのロフト角が３０〜８０度に構成されるゴルフクラブにおいて、
前記ヘッドが、ヒールからトウまでの長さがクラブ全長の１０〜１５％の範囲で、かつソール幅が５０〜６０ｍｍに形成されることを特徴とするゴルフクラブ。
【請求項２】
前記ヘッドは、ソールの長手方向に沿って凹状溝が形成される請求項１に記載のゴルフクラブ。
【請求項３】
前記ヘッドは、フェースの裏面側のソール上部に中空部が設けられる請求項１又は請求項２に記載のゴルフクラブ。
【請求項４】
前記ヘッドは、アイアン型形状に形成される請求項１乃至請求項３のいずれか一項に記載のゴルフクラブ。
【発明の詳細な説明】
【技術分野】
【０００１】
本発明は、ゴルフクラブの技術に関し、より詳細には、シャフトと、前記シャフトの一端側に接続されたヘッドとを具備してなり、クラブ全長が８６０〜９２０ｍｍ、かつ前記ヘッドのロフト角が３０〜８０度に構成されるゴルフクラブに関する。
【背景技術】
【０００２】
一般にゴルフクラブは、シャフトと、シャフトの一端側に接続されたヘッドとを具備してなり、一般にヘッドの形状からウッド型、アイアン型、及びパター型に分類される。ショットを行う際には、プレーヤにて飛距離や正確性等が考慮されていずれかのクラブが選択される。特に、グリーン周りからのアプローチショットやバンカーショットを行う場合には、通常、アイアン型のショートアイアンとしてクラブ全長が８６０〜９２０ｍｍ（約３４〜３６インチに相当）で、ロフト角が４５〜６０度に構成されるウェッジ（ＰＷ、ＡＷ、ＳＷ等）が用いられる。
【０００３】
上述したウェッジ等のゴルフクラブを用いてショットを行う際には、プレーヤには状況に応じて多様な打球を打ち分ける技量が要求される。例えば、目標方向に対してフェースのリーディングエッジを傾けてフェースを開いたり、フェースをロフト角が大きくなるように寝かせたり、或いは逆にロフト角が小さくなるようにフェースを立てたりして、ボールの高低やスピン量をコントロールしなければならない。また、スイング軌道を目標方向に対して外側から内側に振り下したり、ターゲット方向にストレートに振り抜いたり、或いはスイングの大きさを変化させたりする必要も生じる。
【０００４】
プロや上級者であれば、ウェッジ等のゴルフクラブを用いても、状況に応じて打球を打ち分けてボールの高低やスピン量をコントロールできるが、初級者では、フェースのスイートエリアにボールを上手く当てることができずに、ボールの手前にヘッドを打ち込んでしまう「ダフり」や、ボールの上部（北半球部分）を打ってしまう「トップ」などのミスショットとなってしまうケースが多々ある。これは、初級者において、安定したショットを行うための技量が不足することはもちろんのこと、アドレス時における心理的な不安感が現実のショットに影響しているからでもある。
【０００５】
かかる観点から、例えば、特許文献１には、最長横断線の角度や、トウ又はリーディングエッジ等の曲率半径を所定の値にすることで、フェースを開いてアドレスし易いヘッド形状としたゴルフクラブが開示されている。また、特許文献２には、フェースの後傾部を所定長さとすることで、アドレス時のフェース視野範囲を増大させてプレーヤに与える安心感を増大させるヘッド形状としたゴルフクラブが開示されている。
【０００６】
しかしながら、上述した特許文献１又は特許文献２に開示されるゴルフクラブは、ヘッド寸法、特に、クラブ全長に対するヒールからトウまでの長さが通常のヘッドと同様のままで、形状のみが最適に設計されるものであった。そのため、初級者にとっては、アドレス時にヘッド形状の優位性を視覚的に体感しにくく、ショットに対する安心感や良いイメージを喚起するには至らない場合がった。また、たとえ視覚的にアドレス時の不安感が解消されたとしても、実際には技量不足を補って安定したスイングをもたらすものではないので、上述したダフり等のミスショットを軽減するには至らない場合があった。
【先行技術文献】
【特許文献】
【０００７】
【特許文献１】特開２００５−２６１７０２号公報
【特許文献２】特開２０００−２０２０７７号公報
【発明の概要】
【発明が解決しようとする課題】
【０００８】
そこで、本発明においては、ゴルフクラブに関し、前記従来の課題を解決するもので、アドレス時に視覚的に大きな安心感を与え、かつ実際のショットの安定性を向上させてミスショットを軽減できるゴルフクラブを提供することを目的としている。
【課題を解決するための手段】
【０００９】
本発明の解決しようとする課題は以上の如くであり、次にこの課題を解決するための手段を説明する。
【００１０】
すなわち、請求項１においては、シャフトと、前記シャフトの一端側に接続されたヘッドとを具備してなり、クラブ全長が８６０〜９２０ｍｍ、かつ前記ヘッドのロフト角が３０〜８０度に構成されるゴルフクラブにおいて、前記ヘッドが、ヒールからトウまでの長さがクラブ全長の１０〜１５％の範囲で、かつソール幅が５０〜６０ｍｍに形成されるものである。
【００１１】
請求項２においては、前記ヘッドは、ソールの長手方向に沿って凹状溝が形成されるものである。
【００１２】
請求項３においては、前記ヘッドは、フェースの裏面側のソール上部に中空部が設けられるものである。
【００１３】
請求項４においては、前記ヘッドは、アイアン型形状に形成されるものである。
【発明の効果】
【００１４】
本発明の効果として、アドレス時に視覚的に大きな安心感を与え、かつ実際のショットの安定性を向上させてミスショットを軽減できる。
【図面の簡単な説明】
【００１５】
【図１】本発明の一実施例に係るゴルフクラブの全体的な構成を示した全体図である。
【図２】ヘッドの投影図である。
【図３】ヘッドのトウ側から見た側面図である。
【図４】ヘッドのヒール側から見た斜視図である。
【図５】図２におけるＡ−Ａ矢視断面図である。
【図６】別実施例のヘッドの投影図である。
【図７】図６に示すヘッドのトウ側から見た側面図である。
【図８】図６に示すヘッドのヒール側から見た斜視図である。
【発明を実施するための形態】
【００１６】
次に、発明を実施するための形態を説明する。
【００１７】
まず、本実施例のゴルフクラブ１の全体構成について、以下に概説する。
図１に示すように、本実施例のゴルフクラブ１は、シャフト２と、シャフト２の一端側に接続されたヘッド３と、シャフト２の他端側に装着されたグリップ４等とで構成されている。本実施例のゴルフクラブ１は、アイアン型のショートアイアン（ウェッジ）として、グリーン周りからのアプローチショットやバンカーショットのように比較的短い距離をコントロールするのに好適なものとして構成されている。
【００１８】
ゴルフクラブ１は、クラブ全長Ｌ１が８６０〜９２０ｍｍとなるように構成されている。「クラブ全長Ｌ１」は、シャフト２の軸中心線Ｃを垂直面内に配し水平面Ｇにヘッド３（のソール３２）を載置してライ角βで傾けた状態で、グリップ４のエッジから水平面Ｇと軸中心線Ｃの交点Ｐまでの長さのことである（図１参照）。このクラブ全長Ｌ１が８６０ｍｍ未満であると、短くなって構えにくくなる傾向があり、一方で９２０ｍｍを超えると長尺化することによってボールの正確なコントロールが難しくなる。そのため、クラブ全長Ｌ１は、８６４〜９１４ｍｍ（３４〜３６インチに相当）とするのが好ましく、８７６〜９０２ｍｍ（３４．５〜３５．５インチに相当）とするのがより好ましい。
【００１９】
次に、ヘッド３の構成について、以下に詳述する。
図２乃至図５に示すように、ヘッド３は、正面に打球面を有するフェース３０と、フェース３０の背面からヘッド後方に延出されてヘッド後面をなすバックフェース３１と、フェース３０の下縁からヘッド後方に延出されてヘッド底面をなすソール３２と、フェース３０のヒール側（図２において右側）に連続されシャフト２が接続されるホーゼル３３等とが形成され、全体としてアイアン型形状とされている。
【００２０】
本実施例のゴルフクラブ１では、ヘッド３のロフト角αが３０〜８０度となるように構成され、好ましくはロフト角αが４５〜８０度の範囲で構成される。「ロフト角α」は、シャフト２の軸中心線Ｃに対するヘッド３（のフェース３０）の傾き（リアルロフト角）のことである（図３参照）。ロフト角αをより大きくすることで、ボールを高く上げ易く、バンカー越えのロブショットといったアプローチショットに効果的であるため、ロフト角αは、６０〜７０度とするのがより好ましい。
【００２１】
フェース３０は、平面状に形成され、上下方向に互いに平行等間隔に配置された複数のスコアライン３０ａ・３０ａ・・・が刻設されている。また、ソール３２には、長手方向（図４において上下方向）に沿って平面視楕円形状に凹設された凹状溝３２ａが形成されている。凹状溝３２ａは、ヘッド３の内部方向に向けて凹設され、ヘッド３が地面（水平面Ｇ）に載置された状態では凹状溝３２ａは地面と接触されない。本実施例のヘッド３では、ソール３２が少なくとも凹状溝３２ａを挟んで短手方向（図４において左右方向）の二カ所にて地面と接触されている（図３参照）。
【００２２】
また、ヘッド３は、内部中空状に形成され、フェース３０の裏面側のソール３２の上部にフェース３０の一部、バックフェース３１及びソール３２にて囲繞された空間として形成される中空部３４が設けられている（図５参照）。中空部３４は、フェース３０のスクエア方向と平行方向の断面において、フェース３０の裏面側で略直線状に形成され、ソール３２側で凹状溝３２ａの形状に沿って凹状に湾曲されている。
【００２３】
本実施例のヘッド３は、フェース３０の厚さＴ１及びソール３２の厚さＴ２が略一定となるように形成されており、さらにソール３２の厚さＴ２がフェース３０の厚さＴ１よりも薄くなるように形成されている。このように形成されることで、ヘッド３において、ソール３２の剛性がフェース３０の剛性に比べ低くなって撓み易く、ショットを行った際に、ソール３２が地面と接触して僅かに撓むことで、フェース３０とボールとの接触時間が長くなってギア効果が高まる結果、初級者であっても効果的にスピン量を増大させることができる。
【００２４】
ここで、本実施例のヘッド３は、ヒールからトウまでの長さＬ２（以下、「フェース長さＬ２」という。）がクラブ全長Ｌ１の１０〜１５％、ソール幅Ｗが５０〜６０ｍｍとなるように形成されている。
【００２５】
ヘッド３の「フェース長さＬ２」は、上述した水平面Ｇに対して垂直でフェース３０のスクエア方向と平行方向の面が接する最もヒール側の面Ｆ１から最もトウ側の面Ｆ２までの距離のことである（図２参照）。本実施例のゴルフクラブ１は、上述したようにクラブ全長Ｌ１が８６０〜９２０ｍｍとなるように構成されるため、フェース長さＬ２は８６ｍｍ（クラブ全長Ｌ１が８６０ｍｍの場合の１０％に相当）以上で、１３８ｍｍ（クラブ全長Ｌ１が９２０ｍｍの場合の１５％に相当）以下の範囲で、クラブ全長Ｌ１に比して最適な長さとなるように調整される。クラブ全長Ｌ１に対して上記の範囲でフェース長さＬ２が８６ｍｍより短いとヘッド形状の優位性を視覚的に体感しにくく、またフェース長さＬ２が１３８ｍｍより長いと反ってスイングの安定性を損なう。そのため、フェース長さＬ２は、１００ｍｍ〜１２５ｍｍとするのがより好ましい。
【００２６】
本実施例のヘッド３において、フェース長さＬ２をクラブ全長Ｌ１に比して最適な長さとなるように調整した一例として、クラブ全長Ｌ１が８７６〜９０２ｍｍ（３４．５〜３５．５インチに相当）とした場合に、フェース長さＬ２が１０５ｍｍ（クラブ全長Ｌ１が８７６ｍｍの場合の１２％に相当）以上で、１２６ｍｍ（クラブ全長Ｌ１が９０２ｍｍの場合の１４％に相当）以下の範囲、すなわち、クラブ全長Ｌ１の１２〜１４％となるように形成するのがより好ましい。
【００２７】
また、ヘッド３の「ソール幅Ｗ」は、スクエア方向から見たソール３２の前後方向の幅のことである（図３参照）。ソール幅Ｗが５０ｍｍ未満の場合、ミスショット（ダフり）を低減する効果が少なく、一方で６０ｍｍを超えると、アプローチショットの際にソール３２のバック側が地面に接触してしまい、ヘッド３の抜けが悪くなるという不具合があるからである。
【００２８】
本実施例のゴルフクラブ１では、上述したようにヘッド３が全体としてアイアン型形状とされるため、上述のように所定のフェース長さＬ２とされる場合には、フェース３０（トップラインやリーディングエッジ）の形状や大きさは、かかるフェース長さＬ２に比例して従来のアイアン型形状と相似形に形成される。例えば、フェース長さＬ２が１０５ｍｍ〜１２６ｍｍに形成される場合、ヘッド３のフェース高さ（水平面Ｇに対して垂直でフェース３０のスクエア方向から見たトップからリーディングエッジまでの距離）が７０〜８０ｍｍとなるように形成される。
【００２９】
以上のように、本実施例のゴルフクラブ１は、シャフト２と、シャフト２の一端側に接続されたヘッド３とを具備してなり、クラブ全長Ｌ１が８６０〜９２０ｍｍ、かつヘッド３のロフト角αが３０〜８０度に構成されるゴルフクラブ１において、ヘッド３が、ヒールからトウまでの長さＬ２がクラブ全長Ｌ１の１０〜１５％の範囲で、かつソール幅Ｗが５０〜６０ｍｍに形成されるため、アドレス時に視覚的に大きな安心感を与え、かつ実際のショットの安定性を向上させてミスショットを軽減できるのである。
【００３０】
すなわち、本実施例のゴルフクラブ１では、ヘッド３が、ヒールからトウまでの長さ（フェース長さＬ２）がクラブ全長Ｌ１の１０〜１５％の範囲となるように形成されるため、従来の同じクラブ全長のゴルフクラブと比べてフェース３０（の長さや面積）が大型化され、初級者にとっては、アドレス時にヘッド形状の優位性を視覚的に体感することができ、ショットに対する安心感や良いイメージを喚起することができる。また、フェース３０が大型化されることで、従来のゴルフクラブと比べてフェース３０のスイートエリアにボールを当て易くなり、ショットの安定性も向上できる。
【００３１】
また、従来のゴルフクラブではソール幅Ｗが概ね３０ｍｍ以下でダフりが生じた際にヘッド（ソール）が地面にめり込みやすくなっていたが、本実施例のゴルフクラブ１では、上述したようにフェース３０が大型化されるとともに、ソール幅Ｗが５０〜６０ｍｍに形成されるため、ヘッド３をボールの手前に打ち込んでしまった場合でも、ヘッド３（ソール３２）が地面にめり込み難く、ダフりを大幅に低減するなどミスショットを軽減できる。
【００３２】
特に、本実施例のゴルフクラブ１では、ヘッド３がソール３２の長手方向に沿って凹状溝３２ａが形成されるため、ショットを行った際に地面に対するヘッド３の跳ね返りを防ぎ、グリーン周りからのアプローチショットやバンカーショットであってもヘッド３の抜けを良くして、ショットの安定性を向上させてミスショットをより軽減できる。また、凹状溝３２ａが形成されることで地面に対するソール３２の載置性が向上するため、初級者であっても、アドレス時にフェース３０を目標に対してスクエアに合わせ易くなる。
【００３３】
また、本実施例のゴルフクラブ１では、ヘッド３がフェース３０の裏面側のソール３２の上部に中空部３４が設けられるため、上述したようにフェース３０が大型化される場合であっても、クラブ重量（ヘッド重量）の増大を防ぐことができ、初級者において従来のゴルフクラブと比べて違和感なくスイングすることができる。
【００３４】
なお、ゴルフクラブ１の構成としては、上述した実施例に限定されず、本発明の目的を逸脱しない限りにおいて種々の変更が可能である。
【００３５】
すなわち、上述した実施例では、クラブ全長Ｌ１が８６０〜９２０ｍｍとなるように構成され、ヘッド３のロフト角αが３０〜８０度となるように構成されるゴルフクラブ１として、ヘッド形状がアイアン型形状とされたショートアイアン（ウェッジ）として構成されるが、ヘッド形状としてはこれに限定されず、例えば、初級者や非力なプレーヤ向けのゴルフクラブとして、アイアン型とパター型の中間的な形状を有するいわゆるチッパー型形状として構成されてもよい。
【００３６】
図６乃至図８に示す実施例のゴルフクラブ１０１は、ヘッド１０３がチッパー型形状に形成され、グリーン周りからのアプローチショットやバンカーショットのように比較的短い距離をコントロールするのに好適なものとして構成されている。具体的には、正面に打球面を有するフェース１３０と、フェース１３０の背面からヘッド後方に延出されてヘッド後面をなすバックフェース１３１と、フェース１３０の下縁からヘッド後方に延出されてヘッド底面をなすソール１３２と、フェース１３０のヒール側に連続されシャフトが接続されるホーゼル１３３等とが形成されている。
【００３７】
本実施例のゴルフクラブ１０１では、好ましくはロフト角αが３０〜５０度の範囲で構成される。ロフト角αが３０度よりも小さいと、ボールの殆どが転がり（ラン）となるためグリーン上でボールが止まりにくく、一方で５０度を超えると逆にボールが高く上がりすぎてランが殆ど出なくなるため２０〜３０ヤードの微妙な距離感を出しにくくなる。そのため、例えば、ロフト角αを３５度程度とすることにより、ボールの転がしを主体としたランニングアプローチ用に好適であり、ロフト角αを４８度程度とすることにより、バンカー越えのロブショットといったアプローチ用に好適である。
【００３８】
本実施例のヘッド１０３において、フェース長さＬ２をクラブ全長Ｌ１に比して最適な長さとなるように調整した一例として、クラブ全長Ｌ１が８７６〜９０２ｍｍ（３４．５〜３５．５インチに相当）とした場合に、フェース長さＬ２が１１４ｍｍ（クラブ全長Ｌ１が８７６ｍｍの場合の１３％に相当）以上で、１３５ｍｍ（クラブ全長Ｌ１が９０２ｍｍの場合の１５％に相当）以下の範囲、すなわち、クラブ全長Ｌ１の１３〜１５％となるように形成するのが好ましい。
【００３９】
なお、かかる構成とした場合であっても、ヘッド１０３は、上述した実施例（図２等参照）と同様、フェース長さＬ２がクラブ全長Ｌ１の１０〜１５％、ソール幅Ｗが５０〜６０ｍｍとなるように形成され、フェース１３０の形状（トップラインやリーディングエッジの形状）や大きさは、フェース長さＬ２に比例して従来のチッパー型形状と相似形に形成される。
【符号の説明】
【００４０】
１      ゴルフクラブ
２      シャフト
３      ヘッド
４      グリップ
３０    フェース
３０ａ  スコアライン
３１    バックフェース
３２    ソール
３２ａ  凹状溝
３３    ホーゼル
３４    中空部
Ｌ１    クラブ全長
Ｌ２    フェース長さ
Ｗ      ソール幅
【図１】
2014151089.tif 000003
【図２】
2014151089.tif 000004
【図３】
2014151089.tif 000005
【図４】
2014151089.tif 000006
【図５】
2014151089.tif 000007
【図６】
2014151089.tif 000008
【図７】
2014151089.tif 000009
【図８】
2014151089.tif 000010